(57)【特許請求の範囲】
【請求項１】
空気調和機に備えられる電気部品箱のカバー構造であって、
前記電気部品箱の外郭を構成し、当該電気部品箱の内部に連通したメンテナンス用の開口部を有する筺体と、
前記開口部を覆うためのカバー部材と、を備え、
前記カバー部材は、前記開口部を覆うカバー面部の一端側に、前記筺体に形成されたスリットに差し込まれる仮固定部を有し、前記カバー面部の他端側に、前記筺体に形成された被係止部に係止する係止部を有し、
前記係止部は、３つの係止片部を有し、そのうち中央の前記係止片部が内側に曲がっている空気調和機用電気部品箱のカバー構造。
【請求項２】
前記カバー部材は、他端側が折り曲げられており、その折り曲げられた部分が前記係止部として構成されている請求項１に記載の空気調和機用電気部品箱のカバー構造。
【請求項３】
前記被係止部は、外方に突出する突起部を有し、
両側の前記係止片部は、前記突起部が嵌め込まれる孔部を有する請求項１または２に記載の空気調和機用電気部品箱のカバー構造。
【請求項４】
前記電気部品箱は、前記空気調和機の室外機内においてコンプレッサの上方に配置され、
前記開口部は、前記筺体の内部から延び前記コンプレッサに接続されるコンプレッサ用配線を導出するための配線導出穴部を一体に有している請求項１から３の何れか１項に記載の空気調和機用電気部品箱のカバー構造。
【請求項５】
前記カバー部材は、前記筺体を形成する際に生じた端材から形成されている請求項１から４の何れか１項に記載の空気調和機用電気部品箱のカバー構造。
【発明の詳細な説明】
【技術分野】
【０００１】
本発明の実施形態は、空気調和機用電気部品箱のカバー構造に関する。
【背景技術】
【０００２】
例えば空気調和機の室外機に備えられる電気部品箱においては、当該電気部品箱の底面に設けられた配線作業用の開口部を、スライド自在に取り付けられた配線カバーにより開閉自在とした構成が考えられている（例えば、特許文献１参照）。
しかし、この構成では、配線カバーが電気部品箱の底部の略全体を覆う大きな面積を有し、しかも、このように大きな面積を有する配線カバー全体をスライドさせる構造となっている。従って、構造が複雑であり、また、このような複雑な構造を製造するにはコストがかかる。
【先行技術文献】
【特許文献】
【０００３】
【特許文献１】再表２００９／０４１４２４号公報
【発明の概要】
【発明が解決しようとする課題】
【０００４】
そこで、空気調和機に備えられる電気部品箱に設けられた開口部を構造の複雑化を招くことなく覆うことができる空気調和機用電気部品箱のカバー構造を提供する。
【課題を解決するための手段】
【０００５】
本実施形態の空気調和機用電気部品箱のカバー構造は、電気部品箱の外郭を構成し、当該電気部品箱の内部に連通したメンテナンス用の開口部を有する筺体と、この開口部を覆うためのカバー部材と、を備える。カバー部材は、開口部を覆うカバー面部の一端側に、筺体に形成されたスリットに差し込まれる仮固定部を有し、カバー面部の他端側に、筺体に形成された被係止部に係止する係止部を有する。前記係止部は、３つの係止片部を有し、そのうち中央の前記係止片部が内側に曲がっている。
【図面の簡単な説明】
【０００６】
【図１】一実施形態に係るものであり、空気調和機の室外機を示す斜視図
【図２】室外機の内部構成を示す斜視図
【図３】カバー部材を取り付けた電気部品箱を底面側から見た斜視図
【図４】カバー部材が仮固定状態である電気部品箱を底面側から見た斜視図（その１）
【図５】カバー部材が仮固定状態である電気部品箱を底面側から見た斜視図（その２）
【図６】カバー部材が仮固定状態である電気部品箱を示す底面図
【図７】カバー部材の斜視図
【図８】カバー部材の側面図
【図９】電気部品箱を形成するための材料板の一例を示す図
【発明を実施するための形態】
【０００７】
以下、一実施形態による空気調和機用電気部品箱のカバー構造を図面を参照しながら説明する。図１に示すように、空気調和機の室外機１０は、矩形箱状の金属製の室外機本体１１を有している。この室外機本体１１の前面を構成する前キャビネット１２には、図示しない吹出し口に嵌め込まれたファンガード１２ａが設けられている。また、室外機本体１１の右側面を構成する右サイドキャビネット１３には、金属製のパックドバルブカバー（側面カバー）１４が着脱可能に取り付けられている。また、室外機本体１１の上面は天板１５により構成され、室外機本体１１の左側面は、図示しない左サイドキャビネットにより構成され、室外機本体１１の背面は、図示しない後キャビネットにより構成される。左サイドキャビネットは、上下方向に所定間隔を存して桟部を有しており、これら桟部相互間が開口している。後キャビネットは、縦方向と横方向に所定の間隔を存して桟部を有しており、これら桟部相互間が開口している。
【０００８】
次に、室外機１０の内部構成について図２を参照しながら説明する。図２に示すように、室外機本体１１の内部は、室外機本体１１の底面を構成する底板１６の上方空間が仕切り板２１によって２つの空間に区分された構成である。仕切り板２１は、その前端部が前キャビネット１２の吹出し口の側部の裏面に当接し、後端部が後キャビネットと右サイドキャビネット１３とが交差する隅部に当接している。仕切り板２１は、前キャビネット１２から背面へ向かって左右のサイドキャビネットに並行に延出され、さらに後キャビネットの近傍部位から右サイドキャビネット１３と後キャビネットとが交差する隅部に向って斜めに折り曲げられている。
【０００９】
この仕切り板２１の左サイドキャビネット側に形成される空間室が熱交換室１１Ａであり、右サイドキャビネット１３側に形成される空間室が機械室１１Ｂである。仕切り板２１の取り付け位置と形態から、熱交換室１１Ａは、室外機本体１１内部の略３／４程度の容積を有し、機械室１１Ｂは、残りの略１／４程度の容積を有する。
熱交換室１１Ａには室外熱交換器２２が配置される。この室外熱交換器２２は、室外機本体１１の底板１６上に載置され、左サイドキャビネット及び後キャビネットに近接して、これら左サイドキャビネット及び後キャビネットに沿うようにして平面視で略Ｌ字状に形成されている。この室外熱交換器２２は、その一側端が前キャビネット１２と左サイドキャビネットとが交差する隅部に延び、他側端が右サイドキャビネット１３と後キャビネットとが交差する隅部に延びる。
【００１０】
さらに、熱交換室１１Ａには送風機支持部材２３が設けられていて、この送風機支持部材２３に室外送風機２４が支持されている。即ち、室外送風機２４は、室外機本体１１内において、室外熱交換器２２と仕切り板２１と前キャビネット１２とで囲まれた空間内に位置している。この室外送風機２４は、室外機本体１１の背面側から空気を吸い込んで前面側へ吹き出すプロペラファンにより構成されている。この室外送風機２４の送風作用により、開口構造の左サイドキャビネット側及び後キャビネット側が外気の吸い込み側となり、プロペラファンの軸方向前面側に対向する吹出し口を有する前キャビネット１２側が熱交換後の空気の吹き出し側となる。なお、送風機支持部材２３の上端部には、前キャビネット１２に当接する図示しない補強部材が固定具を介して取り付けられている。この補強部材は、前キャビネット１２に吹出し口を打ち抜き加工により形成する際に得られた打ち抜き片を利用して形成したものである。
【００１１】
一方、機械室１１Ｂには、コンプレッサ２５と気液分離器２６が配置されているとともに、これらコンプレッサ２５と気液分離器２６に接続される四方切換え弁などを備えた配管類２７が収容されている。この配管類２７は、図示しない室内機から延出する冷媒管が接続されるパックドバルブ（配管接続用開閉弁）２７ａを備えている。このパックドバルブ２７ａは、右サイドキャビネット１３の下部から露出して、上記したパックドバルブカバー１４によって覆われるようになっている。これらコンプレッサ２５、気液分離器２６、四方切換え弁などは、熱交換室１１Ａ内の室外熱交換器２２や室内機に収容されている室内熱交換器などと、冷媒管を介して接続されており、これにより、冷凍サイクルを構成している。
【００１２】
機械室１１Ｂ内に配置されるコンプレッサ２５、気液分離器２６、四方切換え弁、配管類２７などを含む機械室冷凍サイクル部品２８は、その全体の高さ方向の寸法が、底板１６から天板１５までの高さ方向の寸法よりも小さくなっており、従って、室外機本体１１内において、機械室冷凍サイクル部品２８の上部にはスペース的な余裕が生じる。そして、このスペース部分に電気部品箱３１が取り付けられる。即ち、仕切り板２１は、その上端が切り欠かれており、この切欠部分に電気部品箱３１が嵌め込まれ、仕切り板２１と天板１５との間に介在した状態で固定される。このとき、電気部品箱３１は、室外機本体１１内において、コンプレッサ２５を含む機械室冷凍サイクル部品２８の上方に、当該機械室冷凍サイクル部品２８とは間隔を有して配置される。この電気部品箱３１は、全体として薄い箱状をなしており、その略３／４程度が機械室１１Ｂ内に位置し、残りの略１／４程度が熱交換室１１Ａ内に突出している。
【００１３】
次に、この電気部品箱３１の構成についてさらに図３から図６を参照しながら詳細に説明する。図３から図６に示すように、電気部品箱３１の外郭を構成する筺体３２は、ベース部３３と蓋部３４とから構成されている。ベース部３３は、金属製であり、上面が開口する矩形箱状をなしている。このベース部３３の上面開口部は、同じく金属製の矩形板状の蓋部３４によって塞がれ、これにより、矩形箱状の筺体３２が形成される。ベース部３３と蓋部３４との間には、図示しない樹脂製の制御基板ベースが配置されており、この制御基板ベースに、図６に示す制御基板３５が取り付けられている。なお、蓋部３４は、上面側からベース部３３内部への水などの浸入を防ぐために、その周縁部に、制御基板ベースの外周面を覆うように下方に折り曲げられた折曲部を有している。
【００１４】
また、ベース部３３の底面、つまり、電気部品箱３１の底面を構成する部分には、図４から図６に示すように、電気部品箱３１の内部に連通した各種メンテナンス用の開口部３６が設けられている。この開口部３６は、四隅が円弧状に形成された略矩形状をなしており、その大きさは、人の手指が挿入可能な程度の大きさであり、この開口部３６を介して、製造工程時およびメンテナンス作業時において、作業者が電気部品箱３１の内部に外部から手指を挿入し、制御基板３５との配線接続および配線の取り外し作業などを行えるようになっている。
【００１５】
また、この開口部３６には、開口縁の一部を外側へ延出することにより配線導出穴部３６ａが一体に形成されている。この配線導出穴部３６ａは、電気部品箱３１の筺体３２内の制御基板３５から延出しコンプレッサ２５に接続される図示しないコンプレッサ用配線を筺体３２内から機械室１１Ｂ内に導出するための開口穴である。そして、この開口部３６は、詳しくは後述する着脱可能なカバー部材５１によって、配線導出穴部３６ａを除く略全体が覆われるようになっている。なお、配線導出穴部３６ａは、必要以上に大きく形成するのではなく、極力小さく形成することが好ましい。これにより、開口部３６がカバー部材５１によって覆われた状態において、電気部品箱３１の閉塞度、つまり、電気部品箱３１の内部が外部から閉塞される度合いを増すことができる。また、配線導出穴部３６ａは、開口部３６とは別体に設けてもよい。
【００１６】
制御基板３５は、プリント基板からなり、その上面側あるいは下面側には、室外機１０の動作全般を制御するＣＰＵ、制御プログラムや運転履歴などを記憶したメモリなどが実装され、制御回路が構成されている。さらに、制御基板３５の下面側には電解コンデンサ、パワートランジスタ、サーミスタなどが接続される複数のコネクタが実装され、電動弁用や四方切換え弁用などのワイヤハーネスが接続されている。より具体的には、制御基板３５の下面には、機械室１１Ｂ内のコンプレッサ２５、配管類２７を構成する四方切換え弁、熱交換室１１Ａ内の室外送風機２４などの電動部品を制御する電気部品が実装されていて、少なくとも上下寸法の大きい電気部品は、制御基板３５の下面に吊持した状態で取り付けられている。また、電気部品箱３１のうち熱交換室１１Ａ側の側部には、パワートランジスタなどの発熱部品を冷却するための放熱フィン３８が設けられている。この放熱フィン３８は、室外機本体１１内に電気部品箱３１が取り付けられた状態で、熱交換室１１Ａ内に露出するようになっている。
【００１７】
また、図６に示すように、制御基板３５の下面には、サービス端子３５ａが設けられている。このサービス端子３５ａは、例えば制御プログラムのバージョンアップや運転履歴の解析などの各種メンテナンス作業の際に、外部の情報処理端末と制御基板３５とを図示しない通信ケーブルによって接続するための端子である。上記した開口部３６は、電気部品箱３１の底面において、このサービス端子３５ａに対向する位置に設けられている。
【００１８】
電気部品箱３１の底面、換言すれば、筺体３２のベース部３３の底面には、開口部３６よりも若干内側の部分に位置してスリット３９が形成されている。このスリット３９は、開口部３６の内側の辺部に沿って直線状に開口している。また、電気部品箱３１の開口部３６側の側面、換言すれば、筺体３２のベース部３３のうち開口部３６側の側面には、被係止部４０が設けられている。この被係止部４０は、袋部４１および突起部４２を有する。袋部４１は、下方に袋状に開口しており、その入口部分に、上方に向かって丸みを有して折り返された折返部４１ａを有している。また、突起部４２は、袋部４１の両側に位置して、先端部に丸みを有して外方に突出している。
【００１９】
次に、上記したカバー部材５１についてさらに図７から図９を参照しながら詳細に説明する。図７および図８に示すように、カバー部材５１は、カバー面部５２と仮固定部５３と係止部５４とを有する。カバー面部５２は、上記した開口部３６よりも若干大きく形成され、当該開口部３６と同様に四隅が円弧状に形成された略矩形状をなす板状の部分である。従って、カバー部材５１は、このカバー面部５２によって、配線導出穴部３６ａを除く開口部３６の略全体を覆う構成となっている。仮固定部５３は、カバー面部５２の一端側、この場合、電気部品箱３１の底面において開口部３６よりも内側の部分に取り付けられる部分に形成されている。この仮固定部５３は、カバー面部５２の一端部から段差状に形成されており、且つ、カバー面部５２の一端部から当該カバー面部５２に対して平行に延びる爪状をなしている。係止部５４は、カバー面部５２の他端側、つまり、仮固定部５３が形成された側とは反対側であり、この場合、電気部品箱３１の開口部３６側の側面に取り付けられる部分に形成されている。
【００２０】
カバー部材５１は、他端側が折り曲げられた構成であり、この折り曲げられた部分が係止部５４として構成されている。従って、この係止部５４は、カバー面部５２の他端側から当該カバー面部５２に対して垂直に延びるように形成されている。つまり、係止部５４は、カバー部材５１において仮固定部５３が延びる方向と直交する方向に延びており、これにより、カバー部材５１は、図８に示すように、仮固定部５３と係止部５４とを結ぶ断面が略Ｌ字状となる構成である。
【００２１】
カバー部材５１の係止部５４についてさらに詳細に説明すると、この係止部５４は、３つの係止片部５４ａ，５４ｂ，５４ｃを有している。そして、それら３つの係止片部５４ａ，５４ｂ，５４ｃのうち、中央の係止片部５４ａは、その上端部が内側に向かって緩やかに曲っており、また、図８に矢印Ａで示すように、さらに内側に向かって弾性変形可能に構成されている。この係止片部５４ａは、上記した袋部４１内に差し込まれることで係止部５４を被係止部４０に係止するものであるが、袋部４１内に挿入される際には、入口部の折返部４１ａに案内されて弾性変形しながら滑らかに挿入されるようになっている。一方、両側の係止片部５４ｂ，５４ｃは、その上端部が外側に向かって緩やかに曲っているとともに、上下方向の略中心部分に孔部５５を有している。これら係止片部５４ｂ，５４ｃは、上記した突起部４２が孔部５５に嵌め込まれることで係止部５４を被係止部４０に係止するものである。
【００２２】
なお、図９に示すように、カバー部材５１は、金属製の材料板６１から電気部品箱３１の筺体３２を形成する際に生じた端材６１ａから形成されている。この場合、端材６１ａとしては、筺体３２のベース部３３を形成するベース部形成材６１ｂ以外の部分が利用されている。
【００２３】
次に、上記のように構成されたカバー部材５１を電気部品箱３１に取り付ける場合、つまり、開放状態の開口部３６を覆う場合、および、カバー部材５１を電気部品箱３１から取り外す場合、つまり、閉塞状態の開口部３６を開放する場合について説明する。
カバー部材５１を取り付ける場合には、まず、カバー部材５１の仮固定部５３を、電気部品箱３１のスリット３９に差し込む。これにより、図４から図６に示すように、カバー部材５１が開口部３６から離間し且つ当該開口部３６に対して傾斜した状態で対向した仮固定状態となる。次に、この仮固定状態のカバー部材５１全体を、仮固定部５３の根本部分、つまり、カバー面部５２と仮固定部５３との境界部分を支点として開口部３６側に回動させ、係止部５４を被係止部４０側に近付ける。そして、さらにカバー部材５１を回動させて、係止部５４の係止片部５４ａを被係止部４０の袋部４１内に挿入しながら、係止部５４の係止片部５４ｂ，５４ｃの孔部５５に被係止部４０の突起部４２を嵌め込む。
【００２４】
このように、係止片部５４ａが袋部４１内に差し込まれ、係止片部５４ｂ，５４ｃの孔部５５に突起部４２が嵌め込まれた状態では、袋部４１内への挿入に伴い内側に若干弾性変形した係止片部５４ａの弾性力により、被係止部４０が、袋部４１を中心として係止片部５４ａと係止片部５４ｂ，５４ｃとにより挟まれたような状態となる。これにより、係止部５４は、被係止部４０に強固に係止する。また、カバー部材５１は、仮固定部５３がスリット３９に差し込まれ、係止部５４が被係止部４０に強固に係止することで、開口部３６を覆った状態、つまり、閉塞状態で電気部品箱３１に強固に取り付けられる。
【００２５】
このようにして、カバー部材５１は、ねじなどによる固定を要することなく電気部品箱３１に強固に取り付けられる。特に、この場合、カバー部材５１は、電気部品箱３１の底面に取り付けられるが、当該電気部品箱３１に強固に取り付けられることから、自重による落下が防止される。なお、電気部品箱３１にカバー部材５１を取り付ける際には、電気部品箱３１内から延びるコンプレッサ用配線を予め配線導出穴部３６ａに収めておくようにしてもよいし、カバー部材５１を取り付けながらコンプレッサ用配線を配線導出穴部３６ａに収めるようにしてもよい。
【００２６】
一方、カバー部材５１を取り外す場合には、外方に向かって緩やかに曲っている係止部５４の係止片部５４ｂ，５４ｃの上端部を外側に引くことで、孔部５５と突起部４２との嵌合状態を解除する。そして、カバー部材５１全体を仮固定部５３の根本部分を支点として、取り付け時とは反対側、つまり、開口部３６から離れる方向に回動させ、係止部５４を被係止部４０から遠ざける。このとき、カバー部材５１の回動に伴い、係止部５４の係止片部５４ａが被係止部４０の袋部４１から引き抜かれ、これにより、係止部５４と被係止部４０との係止状態が完全に解除され、カバー部材５１が仮固定状態となる。そして、カバー部材５１の仮固定部５３を電気部品箱３１のスリット３９から引き抜き、これにより、カバー部材５１が電気部品箱３１から取り外され、開口部３６が外部に開放した開放状態となる。
【００２７】
以上に説明した一実施形態に係る空気調和機用電気部品箱のカバー構造は、電気部品箱の外郭を構成し、当該電気部品箱の内部に連通したメンテナンス用の開口部を有する筺体と、この開口部を覆うためのカバー部材と、を備える。カバー部材は、開口部を覆うカバー面部の一端側に、筺体に形成されたスリットに差し込まれる仮固定部を有し、カバー面部の他端側に、筺体に形成された被係止部に係止する係止部を有する。この構成によれば、空気調和機に備えられる電気部品箱に設けられた開口部を構造の複雑化を招くことなく覆うことができる。
なお、本実施形態において、開口部を「覆う」とは、開口部の全体を覆うという概念のみならず、開口部の一部を覆うという概念も含む。
【００２８】
上述の一実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００２９】
図面中、１０は室外機、２５はコンプレッサ、３１は電気部品箱、３２は筺体、３６は開口部、３６ａは配線導出穴部、３９はスリット、４０は被係止部、４２は突起部、５１はカバー部材、５２はカバー面部、５３は仮固定部、５４は係止部、５４ａ，５４ｂ，５４ｃは係止片部、５５は孔部、６１ａは端材を示す。
【図１】
0005892808.tif 000002
【図２】
0005892808.tif 000003
【図３】
0005892808.tif 000004
【図４】
0005892808.tif 000005
【図５】
0005892808.tif 000006
【図６】
0005892808.tif 000007
【図７】
0005892808.tif 000008
【図８】
0005892808.tif 000009
【図９】
0005892808.tif 000010